(57)【要約】【課題】従来、車両用リフト装置をメンテナンスする時期は、使用年数で判断していたため、正確なメンテナンス時期を反映していなかった。【解決手段】本発明は、車両リフト装置により昇降される車両が、所望の高さに位置したことを検知する検知装置と、該検知装置により検知した回数を記憶するメンテナンス時期管理部を有する演算記憶処理装置とよりなることを特徴とする。【選択図】図３
2018176981.tif 000002
【特許請求の範囲】
【請求項１】
車両リフト装置により昇降される車両が、所望の高さに位置したことを検知する検知装置と、
該検知装置により検知した回数を記憶するメンテナンス時期管理部を有する演算記憶処理装置とよりなることを特徴とする車両用リフト装置のメンテナンス時期管理装置。
【請求項２】
前記演算記憶処理装置に、前記検知装置により検知した時に、前記車両リフト装置の昇降を停止させる昇降規制部を設けたことを特徴とする請求項１に記載の車両用リフト装置のメンテナンス時期管理装置。
【請求項３】
前記メンテナンス時期管理部は、前記車両が上昇中に、前記検知装置が検知した回数を記憶することを特徴とする請求項１または請求項２に記載の車両用リフト装置のメンテナンス時期管理装置。
【請求項４】
前記メンテナンス時期管理部は、前記車両が下降中に、前記検知装置が検知した回数を記憶することを特徴とする請求項１乃至３のいずれか１に記載の車両用リフト装置のメンテナンス時期管理装置。
【請求項５】
前記メンテナンス時期管理部は、前記車両が下降中と上昇中に、前記検知装置が検知した回数の１／２を記憶することを特徴とする請求項１乃至４のいずれか１に記載の車両用リフト装置のメンテナンス時期管理装置。
【請求項６】
前記メンテナンス時期管理部に表示部を設ける共に、前記メンテナンス時期管理部は、前記記憶した回数が、予め記憶した前記車両用リフト装置をメンテナンスすべきと判断される所望のメンテナンス用回数に達したか否かを判断し、達したと判断した時に、または／及び、該メンテナンス用使用回数に所望量だけ近づいたか否かを判断し、近づいたと判断した時に、その旨を前記表示装置に表示させるメンテナンス時期判断部を有することを特徴とする請求項１乃至５のいずれか１に記載の車両用リフト装置のメンテナンス時期管理装置。
【請求項７】
車両を昇降する車両リフト装置と、
車両リフト装置により昇降される車両が、所望の高さに位置したことを検知する検知装置と、
該検知装置により検知した回数を記憶するメンテナンス時期管理部を有する演算記憶処理装置とよりなることを特徴とする車両リフト装置。
【発明の詳細な説明】
【技術分野】
【０００１】
本発明は、車両用リフト装置のメンテナンス時期を的確に判断できるメンテナンス時期管理装置、及びこのメンテナンス時期管理装置を有する車両用リフト装置に関するものである。
【背景技術】
【０００２】
整備点検用の車両用リフト装置は、該装置のオイル交換等のメンテナンスを定期的に行わないと故障、事故、寿命の短命化が生ずるおそれがある。
【０００３】
そのため、従来においては、メンテナンス時期を、１年や２年と使用年数を決めて、メンテナンスを実施していたが、設置場所や使用頻度等の使用状態により、メンテナンス時期を使用年数としたのでは、適正な内容でメンテナンスを行えない場合がある。
【０００４】
そこで、使用状態を把握するために、車両用リフト装置の通電時間の積算や、操作スイッチの使用回数を用いて、メンテナンス時期を定める場合もある。
【０００５】
例えば、車両用リフト装置としては、特許文献１などがある。
【先行技術文献】
【特許文献】
【０００６】
【特許文献１】特開２００４−２８４７１４号公報
【発明の概要】
【発明が解決しようとする課題】
【０００７】
しかしながら、メンテナンス時期は、耐久テスト、即ち、車両をリフトに乗せて、該リフトを下限から上昇させて下限に戻すまでを、実際のリフト使用回数１回とカウントして、その合計回数により判断する方がより適切なメンテナンス時期判断を行うことができる。従って、通電時間の積算では、電源の切れ忘れ等により、車両用リフト装置の実際の使用回数を正確に表さない場合がある。
【０００８】
また、操作スイッチの使用回数では、車両用リフト装置のリフトアップ支承部と車両のリフトアップポイントとの位置決め際、作業員の技量等によって、操作スイッチの使用回数が大きく異なる場合があるため、車両リフト装置の実際のリフト使用回数を正確に表さない場合がある。
【０００９】
本発明は、上記問題点を解消するもので、車両リフト装置のメンテナンス時期を的確に判断できる車両用リフト装置のメンテナス時期管理装置及びこのメンテナンス時期管理装置を有する車両用リフト装置を提供することを目的とする。
【課題を解決するための手段】
【００１０】
本発明は前記の目的を達成すべく、本発明は、車両リフト装置により昇降される車両が、所望の高さに位置したことを検知する検知装置と、該検知装置により検知した回数を記憶するメンテナンス時期管理部を有する演算記憶処理装置とよりなることを特徴とする。また、該メンテナンス時期管理部は、該記憶した回数に基づき、リフト使用回数を設定する。
【００１１】
また、前記演算記憶処理装置に、前記検知装置により検知した時に、前記車両リフト装置の昇降を停止させる昇降規制部を設けたことを特徴とする。
【００１２】
また、前記メンテナンス時期管理部は、前記車両が上昇中に、前記検知装置が検知した回数を記憶することを特徴とする。また、該メンテナンス時期管理部は、該記憶した回数をリフト使用回数を設定する。
【００１３】
また、前記メンテナンス時期管理部は、前記車両が下降中に、前記検知装置が検知した回数を記憶することを特徴とする。また、該メンテナンス時期管理部は、該記憶した回数をリフト使用回数を設定する。
【００１４】
また、前記メンテナンス時期管理部は、前記車両が下降中と上昇中に、前記検知装置が検知した回数の１／２を記憶することを特徴とする。また、該メンテナンス時期管理部は、該記憶した回数をリフト使用回数を設定する。
【００１５】
また、前記メンテナンス時期管理部に表示部を設ける共に、前記メンテナンス時期管理部は、前記記憶した回数が、予め記憶した前記車両用リフト装置をメンテナンスすべきと判断される所望のメンテナンス用回数に達したか否かを判断し、達したと判断した時に、または／及び、該メンテナンス用使用回数に所望量だけ近づいたか否かを判断し、近づいたと判断した時に、その旨を前記表示装置に表示させるメンテナンス時期判断部を有することを特徴とする。
【００１６】
また、車両を昇降する車両リフト装置と、車両リフト装置により昇降される車両が、所望の高さに位置したことを検知する検知装置と、該検知装置により検知した回数を記憶するメンテナンス時期管理部を有する演算記憶処理装置とよりなることを特徴とする。
【発明の効果】
【００１７】
本発明の車両用リフト装置のメンテナンス時期管理装置によれば、車両リフト装置のメンテナンス時期を的確に判断できる。
【図面の簡単な説明】
【００１８】
【図１】本発明の車両用リフト装置の正面図である。
【図２】該車両用リフト装置の平面図である。
【図３】本発明の車両リフト装置の使用状態を示す、リフトされた車両を省略した正面図である。
【発明を実施するための形態】
【００１９】
以下、図１〜図３によって本発明の実施例を説明する。なお、図３において、リフトされる車両は省略されている。
【実施例１】
【００２０】
（１．車両リフト装置の説明）
【００２１】
図１及び図２は、車両をリフトアップするための、例えば、アーム式のリフト装置１を示し、該リフト装置１は、左右の支柱２、２と、各支柱２に沿って上下に昇降する昇降体３と、各昇降体３に設けた、リフトアップされる車両を支承する、回動・伸縮可能な支承アーム４と、前記昇降体３の昇降を制御する昇降駆動部５ａを有する演算記憶処理装置５とよりなる。
【００２２】
そして、本発明においては、前記リフト装置１に、昇降（リフトアップ）される車両が、所望の高さに位置したことを検知する検知装置６を設ける。
【００２３】
また、前記演算記憶処理装置５に、前記検知装置６により検知した検知信号を受信し、該検知信号を受信した時に、前記昇降駆動部５ａの駆動を規制（停止）させる制御を行う昇降規制部５ｂを設けると共に、前記検知装置６からの検知信号を受信し、該受信した回数を記憶し、該回数に基づき、前記車両リフト装置のメンテナンス時期を判断するメンテナンス時期管理部５ｃとを設ける。
【００２４】
（２．検知装置の説明）
【００２５】
前記検知装置６は、例えば、近接スイッチからなり、該近接スイッチは、例えば、前記一方の支柱２の所望の高さ（検知位置）に設けられる。
【００２６】
該所望の高さとは、車両を整備点検に必要な高さまで上昇させる前に、安全確認のために、車両を一旦、地面から少し上昇させて停止させる所望の高さであり、例えば、持ち上げられた車両のタイヤが、地面からはなる程度の高さ、例えば、車両が地面から３００ｍｍ程度まで上昇する時の高さである。
【００２７】
なお、必要に応じて、前記近接スイッチが反応する近接体６ａを、前記昇降体３に設け、前記昇降体３が上昇し、前記近接体６ａが、前記近接スイッチに最接近した時に、前記近接スイッチが検知するようにする。該近接体６ａを設けずに、何かしらの物体が接近した時に検知するようにしてもよい。
【００２８】
前記検知装置６は、車両の高さが所望の高さとなることを検知できれば、特に制限はなく、近接スイッチの他に、例えば、リミットスイッチや、ロータリーエンコーダなどの位置検出装置等がある。また、車両のリフト支承荷重を検知し、所望の荷重以上となった時に、反応するようにした荷重計であってもよい。
【００２９】
（３．演算記憶処理装置の説明）
【００３０】
（３．１  昇降駆動部の説明）
【００３１】
前記演算記憶処理装置５の昇降駆動部５ａには、該昇降駆動部５ａを操作するリモコンなどの操作スイッチ部７が設けられる。そして、該操作スイッチ部７には、上昇ボタン７ａと下降ボタン７ｂとが設けられ、該上昇ボタン７ａを押し続けることにより前記昇降体３が上昇し、離すことにより該昇降体３がその高さで停止する。また、前記下降ボタン７ｂを押し続けることにより前記昇降体３が下降し、離すことにより該昇降体３がその高さで停止するようになる。
【００３２】
（３．２  昇降規制部の説明）
【００３３】
また、前記昇降規制部５ｂは、前記上昇ボタン７ａを押し続けている間に、前記検知装置６からの検知信号を受信したときに、前記昇降駆動部５ａが前記昇降体３を停止させるように制御する。
【００３４】
また、前記下降ボタン７ｂを押し続けている間に、前記検知装置６からの検知信号を受信したときに、前記昇降駆動部５ａが前記昇降体３を停止させるように制御する。
【００３５】
なお、前記昇降規制部５ｂは、上昇時と下降時のいずれか一方の時のみ、昇降体３を停止するようにしてもよい。
【００３６】
また、前記昇降規制部５ｂを省略してもよい。
【００３７】
（３．３  メンテナンス時期管理部の説明）
【００３８】
前記メンテナンス時期管理部５ｃは、前記検知装置６からの検知信号を受信した回数を記憶する。そして、該回数に基づき、実際のリフト使用回数（実使用回数）を設定するようにする。
【００３９】
即ち、例えば、前記昇降ボタン７ａを押し続けて車両が上昇中に、前記検知装置６が検知した回数を記憶し、該記憶した回数を、実際のリフト使用回数（上昇時実使用回数）とみなすよう設定する。
【００４０】
または、前記下降ボタン７ｂを押し続けて車両が下降中に、前記検知装置６が検知した回数を記憶し、該記憶した回数を、実際のリフト使用回数（下降時実使用回数）とみなすよう設定する。
【００４１】
または、車両が上昇中及び下降中に、前記検知装置６が検知した回数の１／２を記憶し、該記憶した回数を、実際のリフト使用回数とみなすよう設定する。
【００４２】
そして、前記実使用回数を、前記メンテナンス時期管理部５ｃに設けたモニタ等の表示部８に表示させるようにする。
【００４３】
また、前記メンテナンス時期管理部５ｃは、前記実使用回数が、予め記憶された、車両用リフト装置をメンテナンスすべきと判断される所望のリフト使用回数（メンテナンス用回数）に達したか否かを判断し、達したと判断した時に、前記表示部８にメンテナンスをすべき旨を表示させるメンテナンス時期判断部を有する。
【００４４】
なお、前記表示部８としてモニタを用いる代わりに、または、モニタと共に、ランプなどの点灯装置を設け、前記実使用回数が、設定されたメンテナンス用回数に達した時に、前記ランプを、例えば赤点灯させるようにしてもよい。
【００４５】
なお、前記メンテナンス時期判断部は、更に、前記実使用回数が、前記メンテナンス用回数に所望量だけ近づいたか否かを判断し、近づいたと判断した場合には、前記ランプを、例えば、黄点灯させるようにしてもよい。
【００４６】
（４．使用方法の説明）
【００４７】
次に、本発明の車両用リフト装置の使用方法と効果を説明する。
【００４８】
リフト作業を開始するために、車両用リフト装置の電源を入れる。なお、前記昇降体３は、図１に示すように、下端（下限）に位置している。
【００４９】
次に、前記車両用リフト装置内のリフトアップ位置に車両を進入させ、そして、前記各支承アーム４を回動、伸縮させて、その先端の車両受け部４ａが、前記車両の底面のリフトアップポイントの下方に位置するようにする。
【００５０】
そして、作業員が目視等により、前記車両受け部４ａが、前記リフトアップポイントに合致するかどうかを確認しながら、前記操作スイッチ部７の上昇ボタン７ａを押し続けて、前記支承アーム４を上昇させ、作業員が、前記車両受け部４ａが、前記リフトアップポイントに合致すると判断した場合には、そのまま、前記上昇ボタン７ａを押し続け、前記車両受け部４ａに車両を支承させて、該車両を上昇させる。
【００５１】
作業員が、前記車両受け部４ａが、リフトアップポイントに合致しないと判断した場合には、前記上昇ボタン７ａを離し、必要に応じて、前記下降ボタン７ｂを押して、前記支承アーム４を下降させてから、前記車両受け部４ａの位置を調整し、それから、再度、前記上昇ボタン７ａを押して、前記車両受け部４ａが前記リフトアップポイントに合致させるようにし、合致すると判断した場合には、そのまま、前記上昇ボタン７ａを押し続け、前記車両受け部４ａに車両を支承させて、車両を上昇させ、合致しない判断した場合には、再度、調整を行うようにする。
【００５２】
なお、この車両受け部４ａを前記車両のリフトアップポイントの合致させる作業において、前記上昇ボタン７ａと下降ボタン７ｂとが複数押される可能性があるが、後述するように、車両が前記検知装置６により検知される位置まで上昇しないので、実施のリフト使用回数にカウントされるようなことはない。
【００５３】
車両受け部４ａが前記リフトアップポイントに合致し、前記車両を上昇させた後、更に、前記上昇ボタン７ａを押し続け、図３に示すように、前記車両が所望の高さ、例えば、地面から３００ｍｍの高さまで上昇した時に、前記近接スイッチが、近接体６ａに近接したことを検知し、この検知信号を、前記昇降規制部５ｂが受信し、そして、該昇降規制部５ｂは、前記昇降駆動部５ａが前記昇降体３を停止するよう制御し、これにより、該昇降体３がその高さで停止するようになる。
【００５４】
従って、車両がある程度高く上がる前に、一旦、車両や車両用リフト装置やその付近を確認することができるので、安全性が高まるようになる。
【００５５】
また、前記メンテナンス時期管理部５ｃは、前記検知信号を受信し、既に記憶している上昇時実使用回数に１回を合計して記憶する。
【００５６】
そして、安全確認が確認できれば、再度、前記上昇ボタンを押し続け、車両を整備点検可能な位置まで上昇させ、そして、点検整備を行う。
【００５７】
点検整備終了後は、車両を下降させるために、前記下降ボタン７ｂを押し続ける。
【００５８】
そして、前記支承アームが所望の位置まで、例えば、車両が３００ｍｍの高さまで下降した時に、前記近接スイッチが、近接体６ａに近接したことを検知し、前記検知信号を、前記昇降規制部５ｂが受信し、そして、該昇降規制部５ｂは、前記昇降駆動部５ａが前記昇降体３を停止するよう制御し、これにより、該昇降体３がその高さで停止するようになる。
【００５９】
従って、車両を地面に下降させる前に、一旦、車両や車両リフト装置やその付近を確認することができるので、安全性が高まるようになる。
【００６０】
また、前記メンテナンス時期管理部５ｃは、該検知信号を受信し、既に記憶している下降時実使用回数に１回を合計して記憶する。
【００６１】
そして、安全確認後に、下降ボタン７ｂを押し続け、車両を下端まで下降させて、地面に着地させ、その後、車両を退出させる。
【００６２】
そして、前記メンテナンス時期管理部５ｃは、次の車両においてリフト作業を行う際も、前記同様に、前記検知装置により検知するたびに、既に記憶したリフト使用回数に１を合計して記憶するようにする。
【００６３】
そして、前記メンテナンス時期管理部５ｃは、記憶した上昇時実使用回数、または、下降時実使用回数を実際のリフト使用回数とみなして、前記表示部表示させる、或いは、上昇時実使用回数と下降時実使用回数の合計の１／２の回数を、実際のリフト使用回数とみなして、前記表示部８に表示するようにする。
【００６４】
また、前記メンテナンス時期管理装置５ｃに設けたメンテナンス時期判断部により、前記実際のリフト使用回数が、予め記憶した前記車両用リフト装置をメンテナンスすべきと判断される所望の設定されたメンテナンス用回数になった時に、その旨を前記表示装置８に表示させるようにする。
【００６５】
また、前記実際のリフト使用回数が、前記メンテナンス用回数に所望量だけ近づいた時に、その旨を前記表示装置に表示させるようにする。
【００６６】
（５．効果）
【００６７】
本発明によれば、耐久テスト、即ち、車両を乗せて、リフトを下限から上昇させ、そして、下限に戻すまでを実使用回数１回とみなしてカウントするので、実使用回数に基づき、メンテナンス管理をすることができ、適正に車両リフト装置をメンテナンスすることができるようになる。
【産業上の利用可能性】
【００６８】
本発明の車両用の整備点検用リフト装置は、車検整備場や、車両整備工場等に用いられる。
【符号の説明】
【００６９】
１      リフト装置
２      支柱
３      昇降体
４      支承アーム
４ａ    車両受け部
５      演算記憶処理装置
５ａ    昇降駆動部
５ｂ    昇降規制部
５ｃ    メンテナンス時期管理部
６      検知装置
６ａ    近接体
７      操作スイッチ部
７ａ    上昇ボタン
７ｂ    下降ボタン
８      表示部
【図１】
2018176981.tif 000003
【図２】
2018176981.tif 000004
【図３】
2018176981.tif 000005